(57)【特許請求の範囲】
【請求項１】
ケース内に配置されるとともに基材テープに塗膜が設けられた転写テープを繰出可能に支持する繰出コアと、前記転写テープが掛け回される転写ヘッドと、前記基材テープを巻き取る巻取コアとを備えた転写具において、
前記ケース内に位置して前記転写ヘッドと巻取コアとを支持するホルダーと、当該ホルダーを初期位置に保つ位置規制部材とを含み、
前記ホルダーは、前記転写ヘッドに所定の押付力が付与されたときに、当該転写ヘッドを所定角度変位させると同時に巻取コアの回転中心を繰出コア側に変位させる方向に回転可能に設けられていることを特徴とする転写具。
【請求項２】
前記ホルダーは、前記巻取コアの中心から離れた位置で前記ケースに回転可能に支持されていることを特徴とする請求項１記載の転写具。
【請求項３】
前記位置規制部材は、一端が前記ケースに係り合うように設けられる一方、他端が前記ホルダーに係り合うように設けられた弾性部材により構成され、当該弾性部材が弾性変形することで前記ホルダーの回転を許容することを特徴とする請求項１又は２記載の転写具。
【発明の詳細な説明】
【技術分野】
【０００１】
本発明は転写具に係り、更に詳しくは、転写テープの張力が増して繰出抵抗が増大した場合であっても張力を緩和でき、特に、長寸の転写テープを対象とした場合でも最後までスムースなる塗膜転写を実現することのできる転写具に関する。
【背景技術】
【０００２】
帯状の基材テープの一方の面に隠蔽用の白色塗膜を積層した転写テープを用い、当該転写テープを転写ヘッドに巻き掛けた状態で転写ヘッドを被転写面に押し当てることで、前記塗膜を転写することのできる転写具が広く利用されている。
この転写具は、ロール状に巻回された転写テープを繰出可能に支持する繰出コアと、基材テープを巻き取る巻取コアと、転写テープが巻き掛けられる転写ヘッドとを備え、使用初期においては、繰出コアにおける転写テープの巻き径が大きく、巻取コアの基材テープの巻き径が小さい相互関係により、転写テープをスムースに繰り出すことが可能となっている。
しかしながら、繰出コア側の転写テープ巻き径が相対的に小さくなるに従って、張力が増大する特質がある。そのため、繰出コアに巻装される転写テープは、その全長を、例えば、１０ｍ程度に抑えているのが実状であり、転写テープを交換する頻度が増す、という問題がある。
【０００３】
そこで、特許文献１には、巻取コアの回転中心を繰出コア側に接近するように変位させることで、転写テープの張力を緩和して繰出抵抗を軽減することのできる転写具が提案されている。
【特許文献１】特開２００２−２８３７９５号公報
【発明の開示】
【発明が解決しようとする課題】
【０００４】
特許文献１に記載された転写具にあっては、転写ヘッドを被転写面に押し付けて転写力を付与したときに、巻取コアと繰出コアとの相対距離を短くする構成が採用されている。
しかしながら、転写ヘッドに加えられる転写力は、巻取コアの移動方向に対して一致しておらず、所定角度傾いた方向に付与されるものであるため、転写ヘッドに転写力が付与されても、その傾きの程度いかんによっては巻取コアが繰出コア側にスムースに移動できない、という不都合がある。この場合には、結果として、張力緩和が不十分となって繰出抵抗が軽減されないため、特に、転写テープの使用終期において転写操作を困難ならしめる不都合を招来する。かかる不都合は、長寸の転写テープ、例えば、２５ｍ程度とした場合には一層困難となり、転写自体を不可能にすることとなる。
【０００５】
［発明の目的］
本発明は、このような不都合に着目して案出されたものであり、その目的は、転写テープの張力が所定の張力となったときに、転写時の押付力付与方向に沿って転写ヘッドを変位させると同時に、巻取コアを繰出コア側に相対的に接近させ、前記張力を緩和してスムースな繰り出しを実現し、長寸の転写テープを対象とした場合であっても、転写テープを最後まで消費することのできる転写具を提供することにある。
【課題を解決するための手段】
【０００６】
前記目的を達成するため、本発明は、ケース内に配置されるとともに基材テープに塗膜が設けられた転写テープを繰出可能に支持する繰出コアと、前記転写テープが掛け回される転写ヘッドと、前記基材テープを巻き取る巻取コアとを備えた転写具において、
前記ケース内に位置して前記転写ヘッドと巻取コアとを支持するホルダーと、当該ホルダーを初期位置に保つ位置規制部材とを含み、
前記ホルダーは、前記転写ヘッドに所定の押付力が付与されたときに、当該転写ヘッドを所定角度変位させると同時に巻取コアの回転中心を繰出コア側に変位させる方向に回転可能に設けられる、という構成を採っている。
【０００７】
本発明において、前記ホルダーは、前記巻取コアの中心から離れた位置で前記ケースに回転可能に支持される、という構成を採っている。
【０００８】
また、前記位置規制部材は、一端が前記ケースに係り合うように設けられる一方、他端が前記ホルダーに係り合うように設けられた弾性部材により構成され、当該弾性部材が弾性変形することで、前記ホルダーの回転を許容するように設けることができる。
【発明の効果】
【０００９】
本発明によれば、転写テープの張力が所定の張力となったときに、転写力の反力で転写ヘッドを変位させると同時に巻取コアの回転中心と繰出コアの回転中心とが相互に接近するようになり、張力が緩和されて繰出抵抗の軽減を図ることができる。この際、転写ヘッドは、転写力が付与されたときに、転写力付与方向に沿って変位すると同時に巻取コアが変位する構成であるため、巻取コアと繰出コアとの相対距離は確実に短縮されることとなる。
また、前記ホルダーは、前記巻取コアの中心から離れた位置に回転中心を有するため、前記移動を円滑に行うことができる。
【発明を実施するための最良の形態】
【００１０】
以下、本発明の好ましい実施形態を、図面を参照しながら詳細に説明する。
【００１１】
図１には、本実施形態に係る転写具の概略平面図が示され、図２には、その概略正面図が示されている。これらの図において、転写具１０は、ケース１１と、当該ケース１１内に配置されるとともに帯状の基材テープの一方の面に修正用の塗膜が設けられた転写テープＴを繰出可能に支持する繰出コア１２と、基材テープを巻き取る巻取コア１３と、転写テープＴが掛け回される転写ヘッド１５と、これら巻取コア１３及び転写ヘッド１５を一体に支持するホルダー１６と、転写ヘッド１５及びこれに巻き掛けられた転写テープＴを保護するカバー１７と、前記ホルダー１６をケース１１内で初期位置に保つ位置規制部材１８とを備えて構成されている。
【００１２】
前記ケース１１は、図２に示されるように、第１のケース１１Ａと、当該第１のケース１１Ａに嵌合する第２のケース１１Ｂとを含む。このケース１１は、第１及び第２のケース１１Ａ、１１Ｂが相互に嵌合した状態で、前記繰出コア１２及びホルダー１６等を収容可能な空間を内部に形成するとともに、図１中左側に開口部２０を形成するようになっており、当該開口部２０から前記ホルダー１６の一部と、これに支持された転写ヘッド１５がケース１１の外側に突出するようになっている。
【００１３】
第１のケース１１Ａは、図３に示されるように、楕円形に類似した平面形状をなし、図３（Ａ）中左端上部が左端下部よりも左方に延びる大きさを備えて前記開口部２０を左端側に形成する平面部２２と、右側中央部に位置して前記繰出コア１２の回転中心軸を形成する支持筒２４と、この支持筒２４の周方向略１２０度間隔位置に設けられたリブ２５と、左端側下部において前記平面部２２から起立してホルダー１６の回転中心２６（図１参照）を形成する筒体２７と、上端側中央に設けられた連結筒２８と、当該連結筒２８の近傍に設けられて湾曲する軌跡に沿って延びるガイドリブ２９と、このガイドリブ２９の下方に位置するスロット穴３０と、前記開口部２０側を除いて平面部２２の外周に位置する周壁３１とを含む。
【００１４】
第２のケース１１Ｂは、図４に示されるように、第１のケース１１Ａと略対称の平面形状を備えた平面部３３と、図４（Ａ）中左側中央部に位置して前記繰出コア１２の支持筒２４に嵌合して前記回転中心軸を形成する嵌合凸軸３４と、この嵌合凸軸３４の周方向略１２０度間隔位置に設けられたリブ３５と、右端側下部に位置して前記筒体２７に嵌合して前記回転中心２６を形成する突軸３６と、前記連結筒２８に嵌合する軸３７と、前記ガイドリブ２９に相対するガイドリブ３８と、第１のケース１１Ａの周壁３１と共に外周面を形成する周壁３９とを含む。
【００１５】
前記繰出コア１２は、図５に示されるように、ロール状の転写テープＴ（図１参照）が装填されるコア本体４２と、当該コア本体４２の一端側に設けられたプーリ４３とを備えて構成されている。コア本体４２及びプーリ４３には穴４４が形成されており、当該穴４４内に前記回転中心軸を形成する支持筒２４及び嵌合凸部３４が位置することにより、繰出コア１２が回転可能に支持される。また、プーリ４３には、巻取コア１３との間に掛け回されるゴム等からなるベルトＢ（図１参照）が巻装される。
【００１６】
前記巻取コア１３は、図６に示されるように、転写済みの基材テープの巻取リール４５と、この巻取リール４５の一端側に設けられて前記ベルトＢが掛け回されるプーリ４７とを備え、これら巻取リール４５及びプーリ４７には回転中心穴４８が形成されている、ここで、巻取リール４５の他端側に位置するリール板４９には、ラチェット機構を構成する爪片５０がリール板４９の周方向略１８０度間隔を隔てた位置に形成されている。
【００１７】
前記転写ヘッド１５は、図１及び図７に示されるように、前記ホルダー１６に支持されるヘッド本体５２と、このヘッド本体５２に連結された先尖部形成体５３とを含むデュアルヘッド構造とされている。ヘッド本体５２には、転写ヘッド１５をホルダー１６に支持させるための支持穴５５が形成されている。
【００１８】
前記ホルダー１６は、前記ケース１１の前方すなわち図１中左側に収容可能な大きさに設けられている。このホルダー１６は、前述した第１のケース１１Ａ及び第２のケース１１Ｂの各内面側に位置する第１のホルダー形成体１６Ａ（図８参照）及び第２のホルダー形成体１６Ｂ（図９参照）とからなる。
【００１９】
第１のホルダー形成体１６Ａは、図８に示されるように、前記第１のケース１１Ａの平面部２２に相対する平面部５９と、この平面部５９の面内中央部近傍に設けられて巻取中心軸６０（図１参照）を形成する起立筒６１と、この起立筒６１の外周側において、前記平面部５９に形成されたスロット穴６２と、図８（Ａ）中左端側中央部に設けられた第１のヘッド支持軸６３と、前記起立筒６１の下部に設けられてホルダー１６の回転中心２６を形成する筒部６４と、ヘッド支持軸６３の下部に設けられた板ばね部６５と、ヘッド支持軸６３の右側に設けられた連結筒６６とを備えて構成されている。ここで、前記平面部５９の図８（Ａ）中右端外面側には凸部６７が形成されている。また、板ばね部６５は、平面部５９に略Ｕ字状の軌跡に沿うスリット６８を形成することによって平面形状が略舌片状となる形状に設けられており、その面内には、直線スリット７０と、当該直線スリット７０に連なる円形穴７１が形成されている。
【００２０】
第２のホルダー形成体１６Ｂは、図９に示されるように、前記第１のホルダー形成体１６Ａの平面部５９に対応する平面部７３と、この平面部７３の面内に設けられるとともに、前記起立筒６１内に挿入されて前記巻取中心軸６０を形成する軸部７５と、当該軸部７５の外周側に設けられるとともに、前述した爪片５０と相互に作用してラチェット機構を構成する円周軌跡に沿うギザ刃７６と、前記第１のヘッド支持軸６３と突き合わされる第２のヘッド支持軸７７と、前記ギザ刃７６の図８（Ａ）中下部に設けられてホルダー１６の回転中心２６を形成する筒体７９と、前記連結筒６６内に挿入される挿入軸部８０と、前記板ばね部６５に相対的に位置する円形の操作用穴８２とを備えて構成されている。また、平面部７３の図９（Ａ）中左端外面側には凸部８３が形成されている。ここで、前記操作用穴８２の外周側には、図１０に示されるように、後述するカバー１７が前記転写ヘッド１５をカバー若しくは保護する位置に設定されたときの当該位置を規制する段部８４が形成されている。
【００２１】
前記カバー１７は、図１１に示されるように、支持軸８６と、この支持軸８６の軸線方向に対して直交する方向に連設された平面視略方形のカバー部８８とにより構成されている。支持軸８６の一端側すなわち図１１（Ａ）中下端側は先細部８６Ａとして形成されている一方、他端側は大径の操作部８６Ｂとして形成されている。先細部８６Ａは、第１のホルダー形成体１６Ａの板ばね部６５の面内に形成された円形穴７１内に受容される一方、操作部８６Ｂは、第２のホルダー形成体１６Ｂの操作用穴８２内に位置するようになっている。なお、カバー１７の支持軸８６外周には、図２に示されるように、コイルばね８７が装着され、当該コイルばね８７の一端はカバー部８８に係り合う一方、他端側は、ホルダー１６の周壁部分に係り合うようになっている。このコイルばね８７は、常時はカバー１７がホルダー１６若しくはケース１１の外周に沿う開放位置を取るようにカバー１７を付勢する。
【００２２】
前記位置規制部材１８は、本実施形態では、棒状の弾性部材により構成されている。この位置規制部材１８は、図１２に示されるように、細長い板状の直線状部９０と、この直線状部９０の一端側に形成された湾曲部９１と、他端側に設けられたコーナー部９２とを含む。コーナー部９２には、円形の穴９３が形成されており、当該穴９３内に、前記第１のホルダー形成体１６Ａに形成された凸部６７が嵌り合う一方、前記湾曲部９１は、第１のケース１１Ａに設けられたリブ２５に当接するようになっており、これにより、位置規制部材１８は、ケース１１内に収容されたホルダー１６の初期位置を規制するようになっている。
【００２３】
次に、本実施形態に係る転写具１０の組立方法と転写動作について、図１３をも参照しながら説明する。
【００２４】
転写具１０の組立に際しては、第１のケース１１Ａにおける平面部２２内に、前記位置規制部材１８を配置しておく。この位置規制部材１８は、図１に示されるように、前記湾曲部９１がリブ２５に当接するように配置される一方、コーナー部が同図中斜め左下に位置するように傾斜姿勢に配置される。そして、繰出コア１２を支持筒２４回りに装着する。
【００２５】
この一方、ホルダー１６の第１のホルダー形成体１６Ａの第１のヘッド支持軸６３を転写ヘッド１５の支持穴５５内に挿入して当該転写ヘッド１５を固定する。そして、転写テープＴの先端が予め固定された巻取コア１３を、その回転中心穴４８に起立筒６１が位置するようにセットする。
このようにして転写ヘッド１５及び巻取コア１３の装着を完了した状態で、第１のホルダー形成体１６Ａに第２のホルダー形成体１６Ｂを組み付ける。この際、前記カバー１７の支持軸８６における先細部８６Ａを板ばね部６５の円形穴７１内に受容させた状態とし、第２のホルダー形成体１６Ｂ側に形成された操作用穴８２内に操作部８６Ｂを位置させる。そして、第１のホルダー形成体１６Ａの筒部６４、連結筒６６に、第２のホルダー形成体１６Ｂの筒体７９、挿入軸部８０を相互に嵌合若しくは突き合わせるとともに、第１及び第２のホルダー形成体１６Ａ、１６Ｂの外周に部分的に形成された周壁を相互に嵌合させてホルダー１６の組み立てを完成させる。
【００２６】
次いで、前記繰出コア１２の外周側に、ロール状に巻回された転写テープＴを装着するとともに、ホルダー１６を第１のケース１１Ａ内に装着する。この装着は、第１のケース１１Ａに形成された筒体２７を、ホルダー１６の筒部６４及び筒体７９内に挿入するとともに、第１のホルダー形成体１６Ａに形成された凸部６７を、位置規制部材１８のコーナー部９２に形成された穴９３内に嵌め込むことによって行われ、これにより、ホルダー１６が、図１に示される初期位置にセットされることとなる。
【００２７】
ホルダー１６のセットが完了した後は、第１のケース１１Ａに第２のケース１１Ｂを組み合わせればよい。この組み合わせは、第１のケース１１Ａの支持筒２４、連結筒２８に第２のケース１１Ｂの嵌合突軸３４、軸３７を嵌合させるとともに、第１及び第２のケース１１Ａ、１１Ｂの周壁３１，３９を相互に嵌合させることにより行われる。第１のケース１１Ａに第２のケース１１Ｂが嵌合した状態では、巻取コア１３に設けられた爪片５０は、第２のケース１１Ｂの内面側に形成されたギザ歯７６に噛み合うラチェット機構が形成され、巻取コア１３は、巻取方向にのみ回転が許容されることとなる。
【００２８】
転写を行う場合には、ケース１１を握り持ち、前記転写ヘッド１５の先端を被転写面に押し当てながら、引き操作すればよい。転写動作において、転写テープＴの使用初期では、繰出コア１２側における転写テープＴの巻き径が巻取コア１３側に対して相対的に大きいことから、張力は適度に保たれており、スムースに塗膜を被転写面に転写することができる。
【００２９】
転写テープＴの消費が進んで繰出コア１２側の転写テープ巻き径が小さくなるに従い、
転写テープＴを引き出すための力が大きく必要とされるため、転写ヘッド１５を被転写面に押し付けると、転写力付与方向に沿ってホルダー１６が繰出コア１２側に変位し、ゴムベルトＢの張力を緩和させる。つまり、転写ヘッド１５は、転写力が付与される方向に沿う反力を受けて角度変位することとなる。これを更に詳述すると、ホルダー１６に一端が係り合っている位置規制部材１８が、その直線状部９０で湾曲する方向に弾性変形するようになり、ホルダー１６が前記回転中心軸２６を回転中心として、前記ガイドリブ２９、３８に案内されつつ図１３中時計方向に回転変位する。このとき、巻取コア１３が繰出コア１２側に接近すると同時に、転写ヘッド１５も図１３中二点鎖線で示される位置から実線で示される位置に角度変位することとなり、これにより、張力が緩和されて転写テープＴの繰り出し及び巻き取りがスムースに行われる。因みに、本実施形態におけるホルダー１６の回転角度は、約５度程度とされているが、当該角度は特に限定されるものではない。なお、塗膜を被転写面に転写したときに、転写ヘッド１５の先端から転写テープ繰出方向上流側に若干の長さに亘って塗膜が引きずられて転写されてしまう場合がある。この場合には、次に転写を行うときに、転写ヘッド１５の先端に塗膜が存在しないことになって塗膜転写ができない、いわゆる空振り現象を生ずるが、前述したように、巻取コア１３が繰出コア１２に変位することで張力が緩和されて転写テープＴの巻き取り促進されるため、塗膜が転写ヘッド１５の先端に位置するように繰り出され、各回毎の転写を確実に行うことができる。
【００３０】
そして、転写が終了したときには、前記位置規制部材１８が弾性復元力を発揮して前記ホルダー１６及びこれに支持されている転写ヘッド１５を初期位置に復帰させて同位置を保つこととなる。
【００３１】
転写作業を行わない場合には、前記転写ヘッド１５はカバー１７によって保護される。この場合、カバー１７の自由端側を指先で摘み、図１中矢印ａ方向に回転操作する。そして、図１中二点鎖線で示される位置までカバー１７を回転操作するときに、第２のホルダー形成体１６Ｂに形成された段部８４側にカバー部８８の側端部が引っ掛かる位置まで移動することで、カバー１７が転写ヘッド１５の先端と、転写テープＴの繰出方向上流側の領域を覆って保護する状態となる。この際、前記カバー部８８の側端部が段部８４側に引っ掛かる直前において、カバー１７の支持軸８６は、軸線方向に移動して先細部８６が板ばね部６５の自由端側を外側に押圧して変位するようになり、段部８４に引っ掛かったときに、板ばね部６５が弾性復帰することで、カバー部８８の側端部が段部８４に引っ掛かる状態を維持することとなる。
【００３２】
この一方、カバー１７による転写ヘッド１５の保護を解除する場合には、前記操作部８６Ｂに指先をあてがって押圧すればよい。これにより、前記先細部８６Ｂにより板ばね部６５が変位し、支持軸８６の軸線が移動してカバー部８８の側端部が段部８４を反対方向に移動したときに、コイルばね８７の付勢力により、カバー１７が初期の開放位置に復帰動作することとなる。
【００３３】
従って、このような実施形態によれば、転写テープＴの使用が進んだときの張力変化によって繰出抵抗が増大することがあっても、前記転写ヘッド１５及びホルダー１６の回転変位により、巻取コア１３が繰出コア１２側に接近移動する構成としたから、張力を緩和して転写テープＴをスムースに繰り出して塗膜の転写を行うことができ、特に、全長の長いロール状の転写テープを装填して利用することに適した転写具を提供することが可能となる。
【００３４】
また、カバー１７を一体に備えた構成としたことで、カバー１７を紛失するおそれは全くなく、必要に応じて転写テープＴを保護することができる。しかも、保護する領域は、転写ヘッド１５の先端から繰出方向上流側における転写テープＴの部分であるため、つまり、保護が実質的に必要となる部位のみの保護であるため、部品形状をコンパクト且つシンプルに形成することができる。また、カバー１７が開放位置にある状態では、ケース１１の外周に略沿う位置に保たれるので、その存在が邪魔になるような不都合もない。
【００３５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００３６】
例えば、前記実施形態では、修正用の塗膜を転写する転写具１０について図示、説明したが、接着テープ、接着剤等を基材テープＢＴに積層して転写するものであってもよい。
【００３７】
また、前記転写具１０は、転写ヘッド１５に転写力が付与されたときに、当該転写ヘッド１５とともにホルダー１６が変位して巻取コア１３の回転中心を繰出コア側に接近するように変位させる構成であれば足り、その他の細部構造については、必要に応じて任意に変更することができる。
【図面の簡単な説明】
【００３８】
【図１】本実施形態に係る転写具の概略平面図。
【図２】前記転写具の概略正面図。
【図３】（Ａ）は第１のケースを内面側から見た平面図、（Ｂ）は図３（Ａ）のＡ−Ａ線矢視断面図、（Ｃ）は図３（Ａ）のＢ−Ｂ線矢視断面図、（Ｄ）は図３（Ａ）のＣ−Ｃ線矢視断面図、（Ｅ）は第１のケースの正面図。
【図４】（Ａ）は第２のケースを内面側から見た平面図、（Ｂ）は図４（Ａ）のＤ−Ｄ線矢視断面図、（Ｃ）は図４（Ａ）のＦ−Ｆ線矢視断面図、（Ｄ）は図４（Ａ）のＥ−Ｅ線矢視断面図、（Ｅ）は第２のケースの正面図。
【図５】（Ａ）は繰出コアの側面図、（Ｂ）は繰出コアの平面図。
【図６】（Ａ）は巻取コアの側面図、（Ｂ）は巻取コアの平面図。
【図７】転写ヘッドの拡大平面図。
【図８】（Ａ）は第１のホルダー形成体を内面側から見た平面図、（Ｂ）は図８（Ａ）のＧ−Ｇ線矢視断面図、（Ｃ）は図８（Ａ）のＨ−Ｈ線矢視断面図、（Ｄ）は図８（Ａ）のＩ−Ｉ線矢視断面図。
【図９】（Ａ）は第２のホルダー形成体を内面側から見た平面図、（Ｂ）は図９（Ａ）のＪ−Ｊ線矢視断面図、（Ｃ）は図９（Ａ）のＫ−Ｋ線矢視断面図、（Ｄ）は図９（Ａ）の正面図。
【図１０】（Ａ）は図９（Ａ）のＬ部拡大図、（Ｂ）はその部分断面図。
【図１１】（Ａ）は転写ヘッドのカバーの正面図、（Ｂ）は図１１（Ａ）のＭ−Ｍ線矢視断面図。
【図１２】（Ａ）は位置規制部材の平面図、（Ｂ）はその左側面図。
【図１３】転写ヘッド及びホルダーが回転変位する状態を示す作用説明図。
【符号の説明】
【００３９】
１０  転写具
１１  ケース
１２  繰出コア
１３  巻取コア
１５  転写ヘッド
１６  ホルダー
１８  位置規制部材
Ｔ  転写テープ
【図１】
0005176140.tif 000002
【図２】
0005176140.tif 000003
【図３】
0005176140.tif 000004
【図４】
0005176140.tif 000005
【図５】
0005176140.tif 000006
【図６】
0005176140.tif 000007
【図７】
0005176140.tif 000008
【図８】
0005176140.tif 000009
【図９】
0005176140.tif 000010
【図１０】
0005176140.tif 000011
【図１１】
0005176140.tif 000012
【図１２】
0005176140.tif 000013
【図１３】
0005176140.tif 000014